(57)【要約】【課題】遊技機の前面枠における装飾用領域を大きく確保すること等により、遊技の興趣をより高めることを可能とする。【解決手段】発射装置に供給する遊技球を貯留する貯留皿上に設置された指向性を高めて演出音を出力する出力手段と、該出力手段が出力した演出音を反射させるための反射手段と、を有する、ことを特徴とする遊技機。また発射装置に供給する遊技球を貯留するための貯留皿が形成された貯留皿形成台上に設置され、指向性を高めて演出音を出力する出力手段と、該出力手段から出力する演出音の出力方向を変更するための出力方向変更手段と、を有することを特徴とする遊技機。【選択図】図２３
2015043855.tif 000002
【特許請求の範囲】
【請求項１】
発射装置に供給する遊技球を貯留するための貯留皿が形成された貯留皿形成台上に設置され、指向性を高めて演出音を出力する出力手段と、
該出力手段が出力した演出音を反射させるための反射手段と、を有する、ことを特徴とする遊技機。
【請求項２】
前記出力手段から出力する演出音の出力方向を変更するための出力方向変更手段を備える、ことを特徴とする請求項１に記載の遊技機。
【請求項３】
前記反射手段は遊技領域の周縁部に設けられた装飾部材を構成する、ことを特徴とする請求項１又は２に記載の遊技機。
【請求項４】
前記反射手段は演出音の反射方向を変更するためにその反射面の角度を変更する反射角度変更手段を備える、ことを特徴とする請求項１、２又は３に記載の遊技機。
【請求項５】
発射装置に供給する遊技球を貯留するための貯留皿が形成された貯留皿形成台上に設置され、指向性を高めて演出音を出力する出力手段と、
該出力手段から出力する演出音の出力方向を変更するための出力方向変更手段と、を有する、ことを特徴とする遊技機。
【発明の詳細な説明】
【技術分野】
【０００１】
本発明は、パチンコ機等の遊技機に関する。
【背景技術】
【０００２】
遊技球を媒体として遊技が実行される例えば図１９に示すような従来のパチンコ遊技機２０１では、遊技機内部に配置される遊技盤に遊技球が転動する遊技領域面を形成し、遊技領域面に対応した視認窓であるガラス扉５を備えた前面枠３によってその前面を所定の空間が形成されるように覆うことによって、発射された遊技球が転動するための遊技用空間を形成している。また、前面枠３には、ガラス扉５の他に装飾用に使用される領域を有しており、例えば図に示したような装飾部材７１内に配したランプの点滅などにより遊技者に近い位置で遊技に関連した装飾演出などを行っている（例えば、特許文献１参照。）。
【０００３】
また従来のパチンコ遊技機２０１には、遊技の進行に応じて効果音等の音声を出力するスピーカ８０が前面枠３の上部両隅に配設されている。さらにこの遊技機２０１では遊技の演出音を迫力のあるものとするために、遊技機本体下部の略中央に設けられた遊技球を貯留するための上皿形成台２５４（貯留皿形成台）と下皿形成台２５３との間の奥側に重低音用のスピーカ（図示せず）が配設されている。
【先行技術文献】
【特許文献】
【０００４】
【特許文献１】特開２００５−２７９４０号公報
【発明の概要】
【発明が解決しようとする課題】
【０００５】
近年、遊技領域面に配設される設置物（例えば、液晶装置など）の大型化が進んでおり、またそのような状況下において遊技球の転動面積を十分に確保するために遊技領域面を可能な限り大型化する傾向にある。そのため、ガラス扉もそれに対応して大型化される傾向にあり、結果的には前面枠３における装飾部材７１の面積が減少し、遊技者に近い位置での装飾演出がインパクトに欠けるものになっている場合がある。ここで前面枠３の上部両隅に設けられたスピーカ８０は多くのスペースを占有しており、このことが前面枠３における装飾部材７１の面積の増大を妨げている実情がある。
【０００６】
また従来より遊技の興趣をより一層高めるための新たな音響的演出手法が模索されているが、特に目新しいものは発案されていない。
【０００７】
本発明は上記課題を解決するために発案されたもので、遊技機の前面枠における装飾用領域を大きく確保すること等により、遊技の興趣をより高めることが可能な遊技機を提供することを目的とするものである。
【課題を解決するための手段】
【０００８】
上記課題を解決するため本発明は、発射装置に供給する遊技球を貯留するための貯留皿が形成された貯留皿形成台上に設置され、指向性を高めて演出音を出力する出力手段と、
該出力手段が出力した演出音を反射させるための反射手段と、を有する、ことを特徴とする遊技機を提供する。
【０００９】
ここで、前記出力手段から出力する演出音の出力方向を変更するための出力方向変更手段を備える、ことも好ましい。
【００１０】
なお、前記反射手段は遊技領域の周縁部に設けられた装飾部材を構成する、ことが好ましい。
【００１１】
また、前記反射手段は演出音の反射方向を変更するためにその反射面の角度を変更する反射角度変更手段を備える、ことも好ましい。
【００１２】
また本発明は、発射装置に供給する遊技球を貯留するための貯留皿が形成された貯留皿形成台上に設置され、指向性を高めて演出音を出力する出力手段と、
該出力手段から出力する演出音の出力方向を変更するための出力方向変更手段と、を有する、ことを特徴とする遊技機を提供する。
【発明の効果】
【００１３】
本発明によれば、遊技機の前面枠の装飾用領域の増大による装飾演出の向上および新たな音響的演出効果の付与により、遊技の興趣をより一層高めることが可能な遊技機が提供される。
【図面の簡単な説明】
【００１４】
【図１】基本発明の第一の実施形態としてのパチンコ機の正面側における斜視図である。
【図２】（ａ）は上皿の平面図、（ｂ）はスピーカ付近の斜視図、（ｃ）は（ａ）の上皿付近のＡ−Ａ線断面図である。
【図３】パチンコ機の背面側における斜視図である。
【図４】ガラス扉枠を開放した状態における前面枠、遊技盤等を示す正面図である。
【図５】ガラス扉枠を示す背面図である。
【図６】上皿における遊技球の流れを示す説明図である。
【図７】空間部内のスピーカから出力された音声が遊技者に伝わる様子を示した説明図である。
【図８】基本発明の第二の実施形態としてのパロット機の正面側における斜視図である。
【図９】（ａ）は基本発明の第一の実施形態の第１の変形例における上皿の平面図、（ｂ）は（ａ）の上皿における遊技球の流れを示す説明図である。
【図１０】（ａ）は基本発明の第一の実施形態の第２の変形例における上皿の平面図、（ｂ）は（ａ）の上皿における遊技球の流れを示す説明図である。
【図１１】（ａ）は基本発明の第一の実施形態の第３の変形例における上皿の平面図、（ｂ）は（ａ）の上皿における遊技球の流れを示す説明図である。
【図１２】基本発明の第一の実施形態の第４の変形例における上皿付近の断面図である。
【図１３】基本発明の第一の実施形態の第５の変形例における上皿付近の断面図である。
【図１４】基本発明の第一の実施形態の第６の変形例における上皿の平面図である。
【図１５】基本発明の第一の実施形態の第７の変形例におけるスピーカ付近の斜視図である。
【図１６】基本発明の第一の実施形態の第８の変形例におけるスピーカ付近の斜視図である。
【図１７】基本発明の第一の実施形態の第９の変形例におけるスピーカ付近の斜視図である。
【図１８】基本発明の第二の実施形態の変形例における上皿及びスピーカ付近の断面図であり、（ａ）はフロントパネルを本体枠側から開いた状態を、（ｂ）はフロントパネルを本体枠側へ閉じた状態をそれぞれ示している。
【図１９】従来のパチンコ機の正面側における斜視図である。
【図２０】実施例１の遊技機の外観斜視図である。
【図２１】図２０の遊技機のＸ−Ｘ断面図である。
【図２２】指向性スピーカから出力された演出音が遊技者に伝達するイメージを示した図である。
【図２３】指向性スピーカから出力された演出音が遊技者に伝達するイメージを示した図である。
【図２４】実施例１の遊技機の変形例の図である。
【図２５】実施例２の遊技機の外観斜視図である。
【図２６】実施例３の遊技機の外観斜視図である。
【発明を実施するための形態】
【００１５】
まず、本発明を創出するきっかけとなった基本発明を具体化した各実施形態についてまず説明し、その後、本発明の遊技機の特徴的部分である演出音の反射や演出音の出力方向の変更による新たな音響的演出手法を実現した実施形態について説明する。
なお以下の実施形態ではパチンコ遊技機（以下、単に「パチンコ機」という。）を具体例に説明するが、本発明はパチンコ機に限られず、スロットマシン、パロットなどスピーカから演出音を発生させるすべての遊技機に応用することができる。
【００１６】
この基本発明のパチンコ機は、スピーカの配置を工夫することで、当該遊技機の遊技者には音声が明瞭に聴取され且つ周囲からは聴取され難くしたものである。すなわち図１９に示した従来のパチンコ機２０１においては、スピーカ８０が装飾部材７１を分断するように、かつ、多くのスペースを占有した状態で前面枠３の上部二隅に配設されており、また、このようなスピーカ８０から出力された音声（演出音）は周囲に拡散しやすく、周囲の遊技者にとってはその音声が煩わしい騒音となっていたところ、この基本発明はこれらを改善したものである。
【００１７】
最初に、基本発明の第一の実施形態であるパチンコ機について説明する。
実施形態のパチンコ機１は、内部の遊技球払い出し機構を利用して遊技球の貸し出しを行うＣＲ機と称されるタイプのパチンコ機であり、図１に示すように、カードユニット２０が隣接配置され且つ電気的に接続されている。カードユニット２０は、予め金額情報が記録された価値媒体としてのプリペイドカード２２を投入可能なカード投入口２１を有し、プリペイドカード２２から金額情報の読み出し及び書き込みが可能となっている。
【００１８】
パチンコ機１は、図１乃至図５に示すように、外枠２と、その外枠２の前部に設けられ外枠２の一側部にて開閉可能に支持された前面枠３とを備えている。外枠２は、パチンコ機１のベースとなる枠であり、板材により全体として矩形状に構成されている。尚、本実施の形態では、外枠２は木製であって、上下方向の長さは８０８ｍｍ、左右方向の長さは５２０ｍｍとなっている。また、前面枠３は合成樹脂、具体的にはＡＢＳ（アクリロニトリル−ブタジエン−スチレン）樹脂により構成されている。前面枠３の開閉軸線はパチンコ機１の正面から見て左側に上下に延びるように設定されている。尚、外枠２は樹脂により構成されていてもよく、あたかも外枠２及び前面枠３が一体物に見えるように構成されていてもよい。
【００１９】
前面枠３には、後述する下皿ユニット５１を除く前面枠３の前面側を覆うように、ガラス扉枠４が開閉自在に設けられている。尚、ガラス扉枠４が基本発明の開閉枠を、前面枠３が基本発明の本体枠をそれぞれ構成するものである。また、後述する上皿５４を除いて外枠２，前面枠３及びガラス扉枠４を含むパチンコ機１のすべての構成部材が基本発明の本体を構成するものである。また、ガラス扉枠４の開閉軸線（軸支部）もパチンコ機１の正面から見て左側に上下に延びるように設定されている。
【００２０】
詳しくは、ガラス扉枠４の背面図である図５に示すように、ガラス扉枠４の裏側から見て右側の上端部付近に回動軸９１が設けられ、図５に示すように前面枠３の正面から見て左側の上端部付近には回動軸９１が嵌め込まれる軸受部９２が設けられている。また、軸受部９２の下方には、上方に突出する突回動軸９３が設けられ、ガラス扉枠４の下側面には、前記回動軸９１の下方位置において、前記突回動軸９３を嵌め込むための図示しない軸受凹部８２が設けられている。そして、突回動軸９３を前記軸受凹部８２に嵌め込み、回動軸９１を軸受部９２に嵌め込むことによって、ガラス扉枠４が軸支され開閉可能となる。このように本実施の形態では、回動軸９１と突回動軸９３を結ぶ線がガラス扉枠４の開閉軸線として設定されている。
【００２１】
また、ガラス扉枠４には、裏側から一対のガラス４２が並行して取り付けられている。ガラス扉枠４の左右方向の長さは、前面枠３とほぼ同等であり、そのガラス扉枠４によって前面枠３下部に設けられた下皿ユニット５１を除く殆どの部分が覆われるようになっている。
【００２２】
前記前面枠３の後側（ガラス扉枠４の奥、外枠２の内側）には、遊技盤５が着脱可能に装着されている。なお、遊技盤５は、その周縁部が前面枠３の裏側に当接した状態で取り付けられており、図４では、遊技盤５の前面部の略中央部分だけが前面枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、図柄変動表示装置５７、スルーチャッカー１０等が配設されている。図柄変動表示装置５７は、液晶表示部と、当該液晶表示部の周囲に配設されたセンターフレームとを備えている。
【００２３】
尚、図柄変動表示装置５７の制御を行う表示制御基板や、スピーカ５９における音声出力の制御を行う音声制御基板を含む各種の制御基板は、図３に示すように、遊技盤５の背面側に設けた透明樹脂製の裏パック５ａによって覆われている。また、パチンコ機１の主制御を行うメイン基板はメイン基板ボックス５ｂに、入賞による遊技球の払い出しやカードユニット２０からの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００２４】
図柄変動表示装置５７の液晶表示部には、例えば左図柄列、中図柄列及び右図柄列の３つの表示列が表示される。各図柄列は複数の図柄によって構成されており、これら図柄が各図柄列毎にスクロールされるように表示画面に可変表示されるようになっている。尚、図柄変動表示装置５７の配設構造については後述する。
【００２５】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生が後述するスピーカ５９から出力される効果音によって報知される。
【００２６】
また、周知のとおり、前記一般入賞口６、可変入賞装置７、作動チャッカー８に遊技球Ｂが入賞することに基づいて、後述する上皿５４（場合によっては下皿５３）に対し所定数の景品球が払い出されるようになっている。また、遊技盤５には、遊技球Ｂの落下方向を適宜分散、調整等するために多数の釘が植設されているとともに、風車９等の各種部材（役物）が配設されている。
【００２７】
さて、前記前面枠３は、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００２８】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、前面枠３の内周側の窓孔によって主として遊技領域の外延が確定されており、前面枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている（図４及び図５参照）。
【００２９】
次に、遊技領域について説明する。本実施の形態では、遊技領域を、パチンコ機１の正面から見て、内レール１２及び外レール１３によって囲まれる領域のうち、内外レール１２，１３の並行部分である誘導レールの領域を除いた領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。
【００３０】
ここで、ガラス扉枠４について説明する。ガラス扉枠４には、前記遊技領域の殆どを外部から視認することができるように略楕円形状の窓部４１が形成されている。具体的には、前記窓部４１は、その左右側の略中央部が、上下側に比べて比較的緩やかに湾曲した形状となっている。なお、前記略中央部が直線状になるようにしてもよい。本実施の形態において、前記窓部４１の上端（外レール１３の最上部、遊技領域の上端）と、ガラス扉枠４の上端との間の距離（いわゆる上部フレーム部分の上下幅）は５０ｍｍとなっており、８５ｍｍ〜９５ｍｍ程度上部フレーム幅がある従来技術に比べ、著しく短くなっている。なお、上記距離は、８０ｍｍ以下であることが望ましく、より望ましくは７０ｍｍ以下であり、さらに望ましくは６０ｍｍ以下である。勿論、所定の強度が確保できるのであれば、５０ｍｍ以下であっても差し支えない。
【００３１】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、図１及び図４を相互に比較すると明らかなように、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域に案内される通過点に過ぎず、遊技者が主として遊技を楽しむ遊技領域において遊技球Ｂが視認困難となるわけではない。そのため、実際の遊技に際しては何ら支障が生じない。また、このような支障が生じない一方で、ガラス扉枠４の十分な強度及び支持強度が確保可能となっている。ちなみに、外レール１３の左端位置と外枠２の左端位置との左右方向の距離は２１ｍｍ、遊技領域の右端位置（内レール１２の右端位置）と外枠２右端位置との左右方向の距離は４４ｍｍとなっている。また、ガラス扉枠４には、図５に示すように、その左右フレーム部分の裏側において、そのガラス扉枠４を補強するための例えば金属製の補強部材４３，４４が取り付けられている。
【００３２】
併せて、図１及び図４に示すように、ガラス扉枠４の存在していない前面枠３下部は、例えばＡＢＳ（アクリロニトリル−ブタジエン−スチレン）樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。さらに、下皿ユニット５１には下皿５３の左側に隣接して灰皿５６が設けられている。
【００３３】
これに対し、ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００３４】
上皿５４の貯留部５４ａは、流入口５４ｌ及び供給口５４ｒに連続する底面部５４ｂと、底面部５４ｂの周囲を取り囲むように立設された前壁部５４ｃと、底面部５４ｂを挟んで前壁部５４ｃと対向するように流入口５４ｌと供給口５４ｒとの間に立設され且つ前壁部５４ｃ側へ凸状となるように湾曲形成された後壁部５４ｄとを有している。底面部５４ｂは、左右方向に細長く且つガラス扉枠４から前方へ張り出すように形成されている。また、底面部５４ｂ後部の流入口５４ｌと供給口５４ｒとの間には前方側へ凹状をなす凹状輪郭部５４ｕが形成され、上述した後壁部５４ｄは凹状輪郭部５４ｕに沿って立設されている。後壁部５４ｄは、左右方向中央部でガラス扉枠４より数十ｍｍ程度（例えば、３０〜５０ｍｍ）前方側へ離間しており、後壁部５４ｄ背面とガラス扉枠４前面との間に空間部５４ｈが形成される構造となっている。
【００３５】
図２（ａ）は上皿５４の平面図、（ｂ）はスピーカ５９付近の斜視図、（ｃ）は（ａ）の上皿のＡ−Ａ線断面図であり、図２（ａ）では、上皿５４が取り付けられるガラス扉枠４を点線で示している。また、図２（ｃ）に示すように、後壁部５４ｄの上縁が丸みを帯びた断面形状に形成されているので、極めて安全性が高い。例えば、遊技者が指を移動させる際に後壁部５４ｄに触れた場合にも、遊技者の指を傷つけることが防止される。
【００３６】
貯留部５４ａの底面部５４ｂ上には、後壁部５４ｄの右側に、遊技球を一列に整列させて供給口５４ｒより供給穴４９を通して発射装置３１側へ流下させる整流部５４ｅが設けられている。整流部５４ｅには、遊技球を後述する直線部５４ｆへ誘導するための傾斜壁５４ｋが、直線部５４ｆを挟んで前壁部５４ｃ側及び後壁部５４ｄ側に形成されており、遊技球の流路が徐々に狭まる構造となっている。また、整流部５４ｅには、底面部５４ｂ上で前後方向に延設され且つ前方側から供給穴４９の位置する後方側に向かって下り傾斜する直線部５４ｆが設けられ、この直線部５４ｆの底面に細長い長方形状の金属板５４ｍが装着されている。金属板５４ｍは、遊技球の流れをスムーズにする機能、底面を補強して摩擦による削れを防止する機能、ノイズを防止する機能等を有している。また、金属板５４ｍの下流端側には球抜き穴５４ｊが形成されている。この球抜き穴５４ｊは、通常の状態において直線部５４ｆの底面裏側をスライド自在に設けられる開閉弁５４ｉによって閉塞されており、開閉弁５４ｉが前壁部５４ｃに設けられる球抜きレバー５４ｇの操作により移動されたときに、球抜き穴５４ｊが開放されて貯留部５４ａ内に貯留されていた遊技球を図示しない球抜き通路を介して下皿５３に移動せしめるものである。
【００３７】
ここで、上皿５４の貯留部５４ａにおける遊技球Ｂの流れについて、図６を参照しつつ説明する。遊技球Ｂは、払出口４５より払い出されると流入口５４ｌより貯留部５４ａ内に流入し、緩やかに右下がりに傾斜する底面部５４ｂと、前壁部５４ｃ及び後壁部５４ｄとに案内されて貯留部５４ａ右側の供給口５４ｒへ向かって転動して整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは整流部５４ｅの直線部５４ｆを挟んで両側に設けられた傾斜壁５４ｋによって誘導されて一列に整列されると共に、直線部５４ｆ上を下り傾斜する後方側（ガラス扉枠４側）へ転動して金属板５４ｍの下流端より供給穴４９へ流下する。供給穴４９から球送り装置４８へ供給された遊技球は、１個ずつ発射レール３３に導かれ、発射装置３１によって発射される。
【００３８】
ガラス扉枠４の窓部４１下方には、遊技球の貸し出しに関する操作を行うための貸球操作部４６が設けられ、さらに下方には、基本発明の音声出力部を構成するスピーカ５９が配設されている。貸球操作部４６は、図１に示すように、遊技球の貸し出し可能状態をランプによって示す貸出ボタンランプ４６ａ、遊技球の貸し出しを行うための貸出ボタン４６ｂ、プリペイドカード２２の返却を行うための返却ボタン４６ｃ、プリペイドカード２２の残り度数を表示する度数表示ＬＥＤ４６ｄとを備えている。
【００３９】
スピーカ５９は、図示しない接続コードを介して音声制御基板と電気的に接続されたスピーカ本体５９ａと、スピーカ本体５９ａを収納するケース５９ｂとから構成される。ケース５９ｂ前面部には、多数の小孔が形成されており、スピーカ本体５９ａから出力される音声が外部から聴こえやすくなっている。そして、スピーカ５９は、上皿５４の後壁部５４ｄとガラス扉枠４との間に形成された空間部５４ｈ内に配設されている。すなわち、スピーカ５９は、ガラス扉枠４において空間部５４ｈを挟んで上皿５４の後壁部５４ｄに対向する領域に固着されている。また、スピーカ５９は、スピーカ本体５９ａ前面部が当該遊技者方向を向くように傾斜配置されている。
【００４０】
ガラス扉枠４の周囲（例えばコーナー部分や窓部４１の周縁）には、各種ランプ、ＬＥＤ等の発光手段を備えた電飾部材（装飾部−装飾部材）６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。勿論、これら電飾部材６２を、遊技盤５に設ける構成（コーナー飾りと称される電飾部材６２を遊技盤５のコーナー部等に配設する）としてもよいし、場合によっては前面枠３に設ける構成としてもよい。更には、前後一対のガラス４２間に配設する構成としてもよい。
【００４１】
また、周知のとおり、前面枠３が外枠２に対し閉じられると自動的にロックがかかるようになっており、所定のキー操作が行われることによりロックが解除されるようになっている。同様に、ガラス扉枠４が前面枠３に対し閉じられると自動的にロックがかかり、別途のキー操作が行われることによりロックが解除されるようになっている。このようにロック及びロック解除を行うためのロック機構が前面枠３の右下部、つまり下皿ユニット５１の右端部に設けられている。ロック機構には、鍵穴を有するキーシリンダ（解除キー）５５、前面枠３及び外枠２間でのロック及び解除を行うための第２ロック機構が含まれる。本実施の形態では、最も幅狭で、遊技領域の拡張を阻害する前面枠の右中央部ではなく、比較的にスペースにゆとりのある前面枠３の右下部に、キーシリンダ５５をはじめとする上記ロック機構（特にキーシリンダ５５）が配設されている。換言すれば、キーシリンダ５５は、遊技領域の最大幅となる位置を避けて配置されている。このような構成により、遊技領域の拡張をより容易且つ確実に図ることができる。
【００４２】
勿論、最も幅狭な部分以外であれば、上記以外の部位に設けてもよく、例えば、前面枠３の右上部に設けるような構成としてもよい。また、上記例では、第１ロック機構及び第２ロック機構をキーシリンダ５５でともにロック状態を解除可能としたが、それぞれの解除のためのキーシリンダを別体で設けることとしてもよい。
【００４３】
以上詳述したことから明らかなように、本実施形態によれば、上皿５４の貯留部５４ａの一部を本体（ガラス扉枠４）より離間して形成することによって貯留部５４ａと本体（ガラス扉枠４）との間に空間部５４ｈを形成すると共に、空間部５４ｈ内に音声出力部としてのスピーカ５９を配設したので、当該遊技者に音声を明瞭に聴取させることができると共に、周囲の遊技者からは聴取され難くすることができる。すなわち、図７に示すように、当該パチンコ機１で遊技を行う遊技者の頭部は空間部５４ｈの上方に位置しており、パチンコ機１本体の上下方向略中央に位置し且つ遊技者頭部から近い上皿貯留部５４ａとガラス扉枠４との間の空間部５４ｈ内でスピーカ５９によって出力された音声が当該遊技者の耳に直接到達するので、音量が比較的小さく設定された場合でも、当該遊技者は音声を明瞭に聴取することができる。特に、本実施形態では、スピーカ５９が遊技者方向に向けて傾斜配置されているので、より直接的に音声が遊技者の耳に到達し、遊技者は音声を一層明瞭に聴取することができる。
【００４４】
一方、上皿貯留部５４ａとガラス扉枠４とによって上下方向以外が囲まれた空間部５４ｈ内で音声が出力された音声は周囲に大きく広がらないので、周囲の遊技者からは当該パチンコ機１の音声が聴取され難い。よって、周囲の遊技者が当該パチンコ機１から出力される音声によって煩わされることが防止される。さらに、例えば、大当り発生の期待感が高まるリーチ遊技状態に当該パチンコ機１から発せられる効果音（「リーチ」等の音声や音楽）に周囲の遊技者が殆ど気づかないため、当該パチンコ機１の図柄変動表示装置５７等を他の遊技者から覗き込まれて当該遊技者が不快な気分にさせられることを防止することができる。加えて、スピーカ５９が空間部５４ｈ内に配設されることにより、他の部材の配置の邪魔にならないという利点がある。
【００４５】
また、スピーカ５９をガラス扉枠４に固着した状態で上皿５４を取り付けることにより、音声出力部としてのスピーカ５９が空間部５４ｈ内に配設される構造を容易且つ確実に形成することができる。また、底面部５４ｂ上には整流部５４ｅが設けられ、整流部５４ｅには遊技球誘導用の傾斜壁５４ｋが形成されて遊技球の流路が徐々に狭まっているので、貯留された遊技球を一列に整列させて供給口５４ｒより発射装置３１側へ確実に流下させることができる。特に、遊技球誘導用の傾斜壁５４ｋが前壁部５４ｃ側だけでなく、後壁部５４ｄ側にも形成されているので、遊技球が後壁部５４ｄ側で滞ることなく供給口５４ｒに向かって誘導される。
【００４６】
また、整流部５４ｅは、底面部５４ｂ上で前後方向に延設され且つ前方側から供給口５４ｒが設けられる後方側に向かって下り傾斜する直線部５４ｆを備えている。よって、流入口５４ｌから底面部５４ｂ上に流入した遊技球は、前壁部５４ｃ側へ凸状に形成された後壁部５４ｄを迂回して供給口５４ｒへ向かう経路に沿って転動し、整流部５４ｅの直線部５４ｆにおいて一列に円滑に整列されて供給口５４ｒより発射装置３１側へ確実に流下する。
【００４７】
次に、基本発明の第二の実施形態について、図８を参照しつつ説明する。第二の実施形態は、複数種類の図柄が表示された複数の回転リールを有し、各回転リールの回転停止時の図柄の組合わせに基づく入賞態様に応じて遊技球が払い出されるパロット遊技機（以下、単に「パロット機」と称する）である。本実施形態のパロット機１０１は、図８に示すように、正面側に開口すると共に、複数種類の図柄が表示された図示しない複数（３個）の回転リールが収容される本体枠１２０と、本体枠１２０の前面を覆うように開閉可能に取り付けられ、各回転リールの図柄を視認可能な表示窓１６３を設けた合成樹脂製のフロントパネル１６０とを備えている。
【００４８】
また、フロントパネル１６０には、装飾ランプ１６２、前方へ突出する台状に形成された上皿１５４、払い出された遊技球又は上皿１５４より誘導された遊技球を受けて貯留する下皿１７０等が設けられている。上皿１５４の上面には、各回転リールの回転停止時の図柄の組合わせに基づく入賞態様に応じてフロントパネル１６０の払出し口１４５より払い出された遊技球及び遊技者により投入された遊技球を貯留する貯留部１５４ａ、払出し口１４５より払い出された遊技球を貯留部１５４ａへ流入させる流入口１５４ｌ、及び貯留部１５４ａに貯留された遊技球をフロントパネル１６０の供給穴１４９を通して本体側へ供給する供給口１５４ｒが設けられている。
【００４９】
上皿１５４の貯留部１５４ａは、流入口１５４ｌ及び供給口１５４ｒに連続する底面部１５４ｂと、底面部１５４ｂの周囲を取り囲むように立設された前壁部１５４ｃと、底面部１５４ｂを挟んで前壁部１５４ｃと対向するように流入口１５４ｌと供給口１５４ｒとの間に立設され且つ前壁部１５４ｃ側へ凸状となるように湾曲形成された後壁部１５４ｄとを有している。底面部１５４ｂは、左右方向に細長く且つ本体側から前方へ張り出すように形成されている。また、底面部１５４ｂ後部の流入口１５４ｌと供給口１５４ｒとの間には前方側へ凹状をなす凹状輪郭部が形成され、上述した後壁部１５４ｄは凹状輪郭部に沿って立設されている。後壁部１５４ｄは、左右方向中央部でフロントパネル１６０より数十ｍｍ程度（例えば、３０〜５０ｍｍ）前方側へ離間しており、後壁部１５４ｄとフロントパネル１６０との間に空間部１５４ｈが形成される構造となっている。
【００５０】
フロントパネル１６０の回転リールを臨む窓部１４１下方には、基本発明の音声出力部を構成するスピーカ１５９が設けられている。スピーカ１５９は、第一の実施形態のスピーカ５９と同様の構成を有する装置であり、上皿１５４の後壁部１５４ｄとフロントパネル１６０との間に形成された空間部１５４ｈ内に配設されている。すなわち、スピーカ１５９は、フロントパネル１６０において空間部１５４ｈを挟んで上皿１５４の後壁部１５４ｄに対向する領域に固着されている。また、スピーカ１５９は、前面部が当該遊技者方向を向くように傾斜配置されている。
【００５１】
また、前壁部１５４ｃの上面には、クレジットされている遊技球を投入するためのベットスイッチ１６５や、クレジットされている遊技球を払い出すためのキャンセルスイッチ１６６が設けられている。また、前壁部１５４ｃの前面は操作部１６４となっており、回転リールの回転起動操作を行うスタートレバー１６７、及び左・中・右の回転リールにそれぞれ対応して設けられたストップスイッチ１６８が設けられている。
【００５２】
以上詳述したことから明らかなように、本実施形態によれば、パロット遊技機１０１において、上皿１５４の貯留部１５４ａの一部を本体側のフロントパネル１６０より離間して形成することによって貯留部１５４ａとフロントパネル１６０との間に空間部１５４ｈを形成すると共に、空間部１５４ｈ内に音声出力部としてのスピーカ１５９を配設したので、当該遊技者に音声を明瞭に聴取させることができると共に、周囲の遊技者からは聴取され難くすることができること、スピーカ１５９が他の部材の配置の邪魔にならないこと等、第一の実施形態と同様の種々の作用効果を奏する。
【００５３】
また、貯留部１５４ａの後端で左右に離間して設けられた流入口１５４ｌと供給口１５４ｒとの間に空間部１５４ｈを形成したので、空間部１５４ｈのサイズを大きくして情報表示部１５７の設置領域等を充分に確保することができる。また、空間部１５４ｈが貯留部１５４ａの左右方向中央に形成されているので、貯留部１５４ａを構成する樹脂部材において左右均等な強度を確保することができる。また、貯留部１５４ａの全体形状が流入口１５４ｌ側と供給口１５４ｒ側とを両端とし且つ前方側へ湾曲するアーチ状に形成されているので、アーチ形状の内周側部分となる貯留部１５４ａとフロントパネル１６０との間に確実に空間部１５４ｈを形成することができる。
【００５４】
尚、基本発明は上述した各実施の形態に限定されるものではなく、基本発明の主旨を逸脱しない範囲で種々の変更を施すことが可能である。例えば、前記第一の実施形態では、ガラス扉枠４に上皿５４が設けられる例を示したが、ガラス扉枠の下方に別体で前面枠３に対して開閉可能な上皿板を設け、その上皿板に上皿５４を設ける構成のパチンコ機に対して基本発明を適用してもよい。尚、本変形例において、上皿板が基本発明の開閉枠を構成するものである。或いは、第一の実施形態において、上皿５４を開閉枠としてのガラス扉枠４や上皿板に設けることなく、前面枠３に設ける構成としてもよい。同様に、第二の実施形態では、上皿１５４を開閉枠としてのフロントパネル１６０に設けることなく、本体枠１２０に設ける構成としてもよい。
【００５５】
また、前記第一の実施形態では、貯留部５４ａの整流部５４ｅに直線部５４ｆを前後方向に設ける構成としたが、図９（ａ）に示す第１の変形例のように、ガラス扉枠４に対して斜め方向に延設され且つ前方側から後方側に向かって下り傾斜する直線部５４ｎを設け、この直線部５４ｎを挟んで前壁部５４ｃ側及び後壁部５４ｄ側に傾斜壁５４ｋを設ける構成としてもよい。本変形例によれば、図９（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは直線部５４ｎの両側に設けられた傾斜壁５４ｋによって誘導されて一列に整列されると共に、直線部５４ｎ上を下り傾斜する後方側（ガラス扉枠４側）へ転動して金属板５４ｍの下流端より供給穴４９へ流下する。
【００５６】
また、図１０（ａ）に示す第２の変形例のように、底面部５４ｂ上で流入口５４ｌから供給口５４ｒに至る曲線状の経路に沿って延設され且つ前方側から供給口５４ｒが設けられる後方側に向かって下り傾斜する曲線部５４ｏを設け、この曲線部５４ｏを挟んで前壁部５４ｃ側及び後壁部５４ｄ側に傾斜壁５４ｋを設ける構成としてもよい。本変形例によれば、図１０（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは曲線部５４ｏの両側に設けられた傾斜壁５４ｋによって誘導されて一列に整列されると共に、曲線部５４ｏ上を下り傾斜する後方側（ガラス扉枠４側）へ転動して金属板５４ｍの下流端より供給穴４９へ流下する。
【００５７】
また、図１１（ａ）に示す第３の変形例のように、底面部５４ｂ上で供給口５４ｒに対して流入口５４ｌとは反対側（右側）にて左右方向に延設され且つ供給口５４ｒが設けられる左方向に向かって下り傾斜する直線部５４ｐを設け、この直線部５４ｐを挟んで前壁部５４ｃ側及び後壁部５４ｄ側に傾斜壁５４ｋを設ける構成としてもよい。本変形例によれば、図１１（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは直線部５４ｐの両側に設けられた傾斜壁５４ｋによって誘導されて一列に整列されると共に、直線部５４ｐ上を下り傾斜する左側へ転動して金属板５４ｍの下流端より供給穴４９へ流下する。
【００５８】
また、前記第一の実施形態では、スピーカ５９をガラス扉枠４側に固着する構成としたが、上皿５４の後壁部５４ｄに固着する構成としてもよい。或いは、図１２に示す第４の変形例のように、ガラス扉枠４と上皿後壁部５４ｄとに固着する構成としてもよい。本変形例では、スピーカ５９が前後両側で固着されているので、取り付け強度が確保され、取り付け状態の安定化を図ることができる。例えば、スピーカ５９を上皿後壁部５４ｄに固着した状態で上皿５４をガラス扉枠４に取り付け、さらにスピーカ５９をガラス扉枠４に固着することにより、スピーカ５９が空間部５４ｈ内に配設される構造を容易且つ確実に形成することができる。また、本変形例では、スピーカ５９が上向きに配置されるとともに、空間部５４ｈを画成する内壁面が上方に拡大するテーパ状に形成されているので、遊技者はスピーカ５９から出力された音声を一層明瞭に聴取することができる。尚、本変形例において、空間部５４ｈ内に後壁部５４ｄとガラス扉枠４とを連結する連結部を架設し、その連結部上にスピーカ５９を配設する構成としてもよい。
【００５９】
また、図１３に示す第５の変形例のように、ガラス扉枠４の前面に凹部８２４ａを形成し、その凹部８２４ａ内にスピーカ５９の少なくとも一部が配設される構造としてもよい。本変形例によれば、サイズの大きなスピーカ５９でも空間部５４ｈ内に配設することができる。
【００６０】
また、前記第一の実施形態では、空間部５４ｈ内にスピーカ５９を１個配設した例を示したが、図１４に示す第６の変形例のように、スピーカ５９を空間部５４ｈ内に複数（図１４では２個）配設すると共に、空間部５４ｈ内に画面表示可能な表示部５７’を配設する構成としてもよい。本変形例によれば、複数のスピーカ５９からそれぞれ音声が出力されることによって、遊技者は立体的な音響を楽しむことができる。また、空間部５４ｈ内に表示部５７’がスピーカ５９と共に配設されているので、遊技者が表示部５７’に視線を向けることによって両耳が空間部５４ｈに向くため、音声を一層明瞭に聴取させることができる。
【００６１】
また、図１５に示す第７の変形例のように、スピーカ５９を挟んで左右に壁状部材５４ｑ，５４ｑを立設する構成としてもよい。本変形例によれば、スピーカ５９の左右に後壁部５４ｄに向かって延びる壁状部材５４ｑ，５４ｑが立設されているので、音声出力の指向性が向上して当該遊技機の遊技者にはより一層明瞭に音声を聴取させることができると共に、周囲の遊技者からはより一層聴取され難くすることができる。
【００６２】
また、第一の実施形態において、音声出力部としてのスピーカ５９又はその近傍に発光部を設ける構成としてもよい。例えば、図１６に示す第８の変形例のように、スピーカ５９前面の周囲に発光部としての多数個のＬＥＤ（発光ダイオード）５９ｃを配列してもよい。本変形例によれば、スピーカ５９に設けられたＬＥＤ５９ｃが発光してスピーカ５９自身を目立たせることによって効果的な演出を実現し、遊技の興趣を増大させることができる。
【００６３】
また、図１７に示す第９の変形例のように、後壁部５４ｄのスピーカ５９対向面にスピーカ５９を照明可能な電球５９ｄ，５９ｄを設ける構成としてもよい。本変形例によれば、スピーカ５９の近傍に設けられた電球５９ｄ，５９ｄがスピーカ５９を照明して目立たせることによって効果的な演出を実現し、遊技の興趣を増大させることができる。
【００６４】
また、前記第二の実施形態において、図１８に示す変形例のように、上皿後壁部１５４ｄと本体枠１２０との間に空間部１５４ｈを形成すると共に、スピーカ１５９が本体枠１２０に固着され且つスピーカ１５９を空間部１５４ｈ内に臨ませる開口部１６０ａがフロントパネル１６０に設けられる構成としてもよい。尚、図１８は、上皿１５４及びスピーカ１５９付近の断面図であり、（ａ）はフロントパネル１６０を本体枠１２０側から開いた状態を、（ｂ）はフロントパネル１６０を本体枠１２０側へ閉じた状態をそれぞれ示している。本変形例によれば、本体枠１２０に固着されたスピーカ１５９がフロントパネル１６０に設けられた開口部１６０ａを介して空間部１５４ｈを臨む位置関係となっている。また、スピーカ１５９をフロントパネル１６０と別体となるように本体枠１２０側へ配置したことにより、フロントパネル１６０の軽量化を図ることができ、フロントパネル１６０の開閉作業の負担を軽減することができる。尚、本変形例において、フロントパネル１６０に開口部１６０ａを覆うと共に、多数の小孔が形成された保護カバーを設け、遊技球の落下等からスピーカ１５９が確実に保護される構成としてもよい。また、本変形例において、本体枠１２０の前面に凹部８２を形成し、その凹部８２内にスピーカ１５９の少なくとも一部を配設する構造としてもよい。これにより、サイズの大きなスピーカ１５９でも空間部１５４ｈ内に配設することができる。
【００６５】
また、前記各実施形態において、音声の出力と共に振動を発生させるピエゾスピーカをスピーカ５９又は１５９として用いてもよい。ピエゾスピーカは、音声出力する際に大きな振動を生じさせるので、効果的に上皿貯留部内の遊技球の転動を促進して遊技球の滞留を防止することができる。但し、ピエゾスピーカにより音声出力部を構成するのは一例にすぎず、振動を発生しつつ音声を出力する他のスピーカ等を使用してもよい。
【００６６】
（付記）
上述した基本発明の実施形態からは、以下に示す基本発明の各手段を抽出することができる。以下、各手段につき、必要に応じて作用効果等を付記しつつ説明する。
１．遊技球を媒体として所定の遊技が実行されると共に遊技球を賞球として払出すように構成された本体と、その本体より払い出された遊技球及び遊技者により投入された遊技球を貯留する貯留部、前記本体より払い出された遊技球を前記貯留部へ流入させる流入口、及び前記貯留部に貯留された遊技球を前記本体側へ供給する供給口を有する上皿と、音声を出力可能な音声出力部と、を備えた遊技機において、
前記上皿の貯留部の一部を前記本体より離間して形成することによって前記貯留部と前記本体との間に空間部を形成すると共に、その空間部内に前記音声出力部を配設したことを特徴とする遊技機。
【００６７】
手段１によれば、上皿の貯留部の一部を本体より離間して形成することによって貯留部と本体との間に形成された空間部内に音声出力部を配設したので、当該遊技者に音声を明瞭に聴取させることができると共に、周囲の遊技者からは聴取され難くすることができる。すなわち、当該遊技機で遊技を行う遊技者の頭部は空間部の上方に位置しており、本体の上下方向及び左右方向略中央に位置し且つ遊技者頭部から近い上皿貯留部と本体との間の空間部内で音声出力部によって出力された音声が当該遊技者の耳に直接到達するので、音量が比較的小さく設定された場合でも、当該遊技者は音声を明瞭に聴取することができる。一方、貯留部と本体とによって上下方向以外が囲まれた空間部内で出力された音声は周囲に大きく広がらないので、周囲の遊技者からは当該遊技機の音声が聴取され難い。よって、周囲の遊技者が当該遊技機から出力される音声によって煩わされることが防止される。さらに、例えば、大当り発生の期待感が高まるリーチ遊技状態に当該遊技機から発せられる効果音に周囲の遊技者が殆ど気づかないため、当該遊技機の図柄変動表示装置等を他の遊技者から覗き込まれて当該遊技者が不快な気分にさせられることを防止することができる。加えて、音声出力部が空間部内に配設されることにより、他の部材の配置の邪魔にならないという利点がある。
【００６８】
２．前記空間部を画成する内壁面が上方に拡大するテーパ状に形成されたことを特徴とする手段１に記載の遊技機。
手段２によれば、空間部を画成する内壁面が上方に拡大するテーパ状に形成されているので、遊技者は音声出力部から出力された音声を一層明瞭に聴取することができる。
【００６９】
３．前記音声出力部は、遊技者方向に向けて傾斜配置されたことを特徴とする手段１又は２に記載の遊技機。
手段３によれば、音声出力部が遊技者方向に向けて傾斜配置されているので、より直接的に音声が遊技者の耳に到達し、遊技者は音声を一層明瞭に聴取することができる。
【００７０】
４．前記音声出力部は、前記空間部内に複数配設されたことを特徴とする手段１乃至３のいずれかに記載の遊技機。
手段４によれば、空間部内に複数の音声出力部が配設されているので、複数の音声出力部からそれぞれ音声が出力されることによって、遊技者は立体的な音響を楽しむことができる。
【００７１】
５．前記音声出力部は、音声の出力と共に振動を発生させるように構成されたことを特徴とする手段１乃至４のいずれかに記載の遊技機。
手段５によれば、音声出力部は音声の出力と共に振動を発生させるので、音声出力部より上皿に振動が与えられて貯留部内における遊技球の転動を促進して遊技球の滞留を防止することができる。
【００７２】
６．前記音声出力部は、ピエゾスピーカを備えたことを特徴とする手段５に記載の遊技機。
手段６によれば、音声出力部が、音声出力する際に大きな振動を生じさせるピエゾスピーカを備えているので、効果的に上皿貯留部内の遊技球の転動を促進して遊技球の滞留を防止することができる。但し、ピエゾスピーカにより音声出力部を構成するのは一例にすぎず、振動を発生しつつ音声を出力するものであれば音声出力部を構成することが可能であるため、他のスピーカ等を使用してもよい。
【００７３】
７．前記空間部内に、画面表示可能な表示部が配設されたことを特徴とする手段１乃至６のいずれかに記載の遊技機。
手段７によれば、空間部内に画面表示可能な表示部が音声出力部と共に配設されているので、遊技者が表示部に視線を向けることによって両耳が空間部に向くため、音声を一層明瞭に聴取させることができる。
【００７４】
８．前記音声出力部の左右に壁状部材が立設されたことを特徴とする手段１乃至７のいずれかに記載の遊技機。
手段８によれば、音声出力部の左右に壁状部材が立設されているので、音声出力の指向性が向上して当該遊技機の遊技者にはより一層明瞭に音声を聴取させることができると共に、周囲の遊技者からはより一層聴取され難くすることができる。
【００７５】
９．前記音声出力部又はその近傍に発光部が設けられたことを特徴とする手段１乃至８のいずれかに記載の遊技機。
手段９によれば、空間部内に配設された音声出力部又はその近傍に設けられた発光部が発光して音声出力部を目立たせることによって効果的な演出を実現し、遊技の興趣を増大させることができる。
【００７６】
１０．前記発光部は、前記音声出力部に設けられたことを特徴とする手段９に記載の遊技機。
手段１０によれば、音声出力部に設けられた発光部が発光して音声出力部自身を目立たせることによって効果的な演出を実現し、遊技の興趣を増大させることができる。
【００７７】
１１．前記発光部は、前記音声出力部の近傍に設けられ且つその音声出力部を照明可能に構成されたことを特徴とする手段９に記載の遊技機。
手段１１によれば、音声出力部の近傍に設けられた発光部が音声出力部を照明して音声出力部を目立たせることによって効果的な演出を実現し、遊技の興趣を増大させることができる。
【００７８】
１２．前記貯留部は、前記流入口及び前記供給口に連続する底面部と、その底面部の周囲を取り囲むように立設された前壁部と、前記底面部を挟んで前記前壁部と対向して立設され且つ前記前壁部側へ凸状に形成された後壁部とを備え、
前記後壁部と前記本体との間に形成された空間部内に前記音声出力部を配設したことを特徴とする手段１乃至１１のいずれかに記載の遊技機。
手段１２によれば、底面部を挟んで前壁部と対向して立設された後壁部が前壁部側へ凸状に形成されて、後壁部と本体との間に確実に空間部を形成し、その空間部内に音声出力部が配設されるので、当該遊技者に音声を明瞭に聴取させることができると共に、周囲の遊技者からは聴取され難くすることができる。
【００７９】
１３．前記本体は、前記所定の遊技が実行される本体枠と、その本体枠に対して前面側へ開閉可能に設けられ且つ前記上皿が取り付けられる開閉枠とを備え、
前記後壁部と前記開閉枠との間に空間部を形成したことを特徴とする手段１２に記載の遊技機。
手段１３によれば、上皿の後壁部と開閉枠との間に形成された空間部内に音声出力部が配設されるので、当該遊技者に音声を明瞭に聴取させることができると共に、周囲の遊技者からは聴取され難くすることができる。
【００８０】
１４．前記音声出力部は、前記開閉枠に固着されたことを特徴とする手段１３に記載の遊技機。
手段１４によれば、音声出力部を開閉枠に固着した状態で上皿を取り付けることにより、音声出力部が空間部内に配設される構造を容易且つ確実に形成することができる。
【００８１】
１５．前記音声出力部は、前記後壁部に固着されたことを特徴とする手段１３に記載の遊技機。
手段１５によれば、音声出力部を上皿後壁部に固着した状態で上皿を開閉枠に取り付けることにより、音声出力部が空間部内に配設される構造を容易且つ確実に形成することができる。
【００８２】
１６．前記音声出力部は、前記開閉枠と前記後壁部とに固着されたことを特徴とする手段１３に記載の遊技機。
手段１６によれば、音声出力部が開閉枠と後壁部とに固着されているので、音声出力部の取り付け強度が確保され、取り付け状態の安定化を図ることができる。例えば、音声出力部を上皿後壁部に固着した状態で上皿を開閉枠に取り付け、さらに音声出力部を開閉枠に固着することにより、音声出力部が空間部内に配設される構造を容易且つ確実に形成することができる。
【００８３】
１７．前記空間部内に前記後壁部と前記開閉枠とを連結する連結部が架設され、前記音声出力部は前記連結部上に配設されたことを特徴とする手段１３に記載の遊技機。
手段１７によれば、空間部内で後壁部と開閉枠とを連結するように架設された連結部上に音声出力部が配設されることにより、音声出力部が空間部内に配設される構造を容易且つ確実に形成することができる。
【００８４】
１８．前記開閉枠の前面に凹部８２が形成され、その凹部８２内に前記音声出力部の少なくとも一部が配設されることを特徴とする手段１３乃至１７のいずれかに記載の遊技機。
手段１８によれば、開閉枠の前面に形成された凹部８２内に音声出力部の少なくとも一部が配設されるので、サイズの大きな音声出力部でも空間部内に配設することができる。
【００８５】
１９．前記本体は、前記所定の遊技が実行される本体枠と、その本体枠に対して前面側へ開閉可能に設けられ且つ前記上皿が取り付けられる開閉枠とを備え、
前記後壁部と前記本体枠との間に空間部を形成すると共に、前記音声出力部が前記本体枠に固着され且つその音声出力部を前記空間部内へ臨ませる開口部が前記開閉枠に設けられたことを特徴とする手段１２に記載の遊技機。
手段１９によれば、上皿の後壁部と本体枠との間に空間部を形成し、本体枠に固着された音声出力部が開閉枠に設けられた開口部を介して空間部内に臨んでいる。また、音声出力部を開閉枠と別体となるように本体枠側へ配置したことにより、開閉枠の軽量化を図ることができ、開閉枠の開閉作業の負担を軽減することができる。
【００８６】
２０．前記本体枠の前面に凹部８２が形成され、その凹部８２内に前記音声出力部の少なくとも一部が配設されることを特徴とする手段１９に記載の遊技機。
手段２０によれば、本体枠の前面に形成された凹部８２内に音声出力部の少なくとも一部が配設されるので、サイズの大きな音声出力部でも空間部内に配設することができる。
【００８７】
２１．前記開閉枠に前記開口部を覆うと共に多数の小孔が形成された保護カバーが設けられたことを特徴とする手段１９又は２０に記載の遊技機。
手段２１によれば、音声出力部を空間部内へ臨ませる開口部を開閉枠に設けられた保護カバーで覆うことにより、遊技球の落下等から表示部が確実に保護される。また、音声出力部から出力された音声は、保護カバーに形成された多数の小孔を通過するので、遊技者は明瞭に聴取することができる。
【００８８】
２２．前記後壁部の上縁が丸みを帯びた断面形状に形成されたことを特徴とする手段１２乃至２１のいずれかに記載の遊技機。
手段２２に記載の遊技機によれば、後壁部の上縁が丸みを帯びた断面形状に形成されているので、極めて安全性が高い。
【００８９】
２３．前記底面部上に、遊技球を一列に整列させて前記供給口より本体側へ流下させる整流部が設けられたことを特徴とする手段１２乃至２２のいずれかに記載の遊技機。
手段２３によれば、貯留部の底面部上に整流部が設けられているので、遊技球を一列に整列させて供給口より本体側へ流下させることができる。
【００９０】
２４．前記整流部には、前記前壁部側及び前記後壁部側の少なくとも一方に遊技球誘導用の傾斜壁が形成されたことを特徴とする手段２３に記載の遊技機。
手段２４によれば、整流部には、前壁部側及び後壁部側の少なくとも一方に遊技球誘導用の傾斜壁が形成されているので、遊技球が確実に一列に整列され且つ供給口に向かって確実に誘導される。
【００９１】
２５．前記整流部には、前記前壁部側及び前記後壁部側の両方に遊技球誘導用の傾斜壁が形成されたことを特徴とする手段２３に記載の遊技機。
手段２５によれば、整流部において遊技球誘導用の傾斜壁が前壁部側だけでなく、後壁部側にも形成されているので、遊技球が後壁部側で滞ることなく供給口に向かって確実に誘導される。
【００９２】
２６．前記流入口及び前記供給口は、前記貯留部の後端で左右に離間して設けられ、前記後壁部は、前記流入口と前記供給口との間に形成されたことを特徴とする手段２３乃至２５のいずれかに記載の遊技機。
手段２６によれば、貯留部の後端で左右に離間して設けられ流入口と供給口との間に底面部を挟んで前壁部と対向して後壁部が立設され且つその後壁部が前壁部側へ凸状に形成されているので、後壁部と本体との間に確実に空間が形成される。
【００９３】
２７．前記整流部は、前記底面部上で前後方向に延設され且つ前方側から前記供給口が設けられる後方側に向かって下り傾斜する直線部を備えたことを特徴とする手段２６に記載の遊技機。
手段２７によれば、流入口から底面部上に流入した遊技球は、前壁部側へ凸状に形成された後壁部を迂回して供給口へ向かう経路に沿って転動し、底面部上で前後方向に延設され且つ前方側から供給口が設けられる後方側に向かって下り傾斜する整流部の直線部において一列に円滑に整列されて供給口より本体側へ確実に流下する。
【００９４】
２８．前記整流部は、前記底面部上で前記供給口に対して前記払出口とは反対側にて左右方向に延設され且つ前記供給口が設けられる方向に向かって下り傾斜する直線部を備えたことを特徴とする手段２６に記載の遊技機。
手段２８によれば、流入口から底面部上に流入した遊技球は、前壁部側へ凸状に形成された後壁部を迂回して供給口へ向かう経路に沿って転動し、底面部上で供給口に対して払出口とは反対側にて左右方向に延設され且つ供給口が設けられる方向に向かって下り傾斜する整流部の直線部において一列に円滑に整列されて供給口より本体側へ確実に流下する。
【００９５】
２９．前記整流部は、前記底面部上で前記本体に対して斜め方向に延設され且つ前方側から前記供給口が設けられる後方側に向かって下り傾斜する直線部を備えたことを特徴とする手段２６に記載の遊技機。
手段２９によれば、流入口から底面部上に流入した遊技球は、前壁部側へ凸状に形成された後壁部を迂回して供給口へ向かう経路に沿って転動し、底面部上で本体に対して斜め方向に延設され且つ前方側から供給口が設けられる後方側に向かって下り傾斜する整流部の直線部において一列に円滑に整列されて供給口より本体側へ確実に流下する。
【００９６】
３０．前記整流部は、前記底面部上で前記払出口から前記供給口に至る曲線状の経路に沿って延設され且つ前方側から前記供給口が設けられる後方側に向かって下り傾斜する曲線部を備えたことを特徴とする手段２６に記載の遊技機。
手段３０によれば、流入口から底面部上に流入した遊技球は、前壁部側へ凸状に形成された後壁部を迂回して供給口へ向かう経路に沿って転動し、底面部上で払出口から供給口に至る曲線状の経路に沿って延設され且つ前方側から供給口が設けられる後方側に向かって下り傾斜する整流部の曲線部において一列に円滑に整列されて供給口より本体側へ確実に流下する。
【００９７】
３１．前記流入口及び前記供給口は、前記貯留部の後端で左右に離間して設けられ、前記空間部は、前記流入口と前記供給口との間に形成されたことを特徴とする手段１乃至３０のいずれかに記載の遊技機。
手段３１によれば、貯留部の後端で左右に離間して設けられた流入口と供給口との間に空間部を形成したので、空間部のサイズを大きくして音声出力部の配設空間を充分に確保することができる。
【００９８】
３２．前記空間部は、前記貯留部の左右方向中央に形成されたことを特徴とする手段３１に記載の遊技機。
手段３２によれば、空間部が貯留部の左右方向中央に形成されているので、貯留部において左右均等な強度を確保することができる。
【００９９】
３３．前記貯留部の全体形状が、前記流入口側と前記供給口側とを両端とし且つ前方側へ湾曲するアーチ状に形成されたことを特徴とする手段３１又は３２に記載の遊技機。
手段３３によれば、貯留部の全体形状が流入口側と供給口側とを両端とし且つ前方側へ湾曲するアーチ状に形成されているので、アーチ形状の内周側部分となる貯留部と本体との間に確実に空間部を形成することができる。
【０１００】
３４．前記遊技機は、パチンコ遊技機であることを特徴とする手段１乃至３３のいずれかに記載の遊技機。
手段３４によれば、パチンコ遊技機において、当該遊技者に音声を明瞭に聴取させることができると共に、音声が周囲に広がり難くすることができる。
【０１０１】
３５．前記上皿は、遊技盤を臨む窓部にガラスを設けたガラス扉枠に取り付けられたことを特徴とする手段３４に記載の遊技機。
手段３５によれば、上皿をガラス扉枠に取り付けたパチンコ遊技機において、当該遊技者に音声を明瞭に聴取させることができると共に、周囲の遊技者からは聴取され難くすることができる。
【０１０２】
３６．前記上皿は、遊技盤を臨む窓部にガラスが設けられたガラス扉枠の下方にてそのガラス扉枠とは別体で設けられた上皿板に取り付けられたことを特徴とする手段３５に記載の遊技機。
手段３６によれば、上皿をガラス扉枠とは別体の上皿板に取り付けたパチンコ遊技機において、当該遊技者に音声を明瞭に聴取させることができると共に、周囲の遊技者からは聴取され難くすることができる。
【０１０３】
３７．前記遊技機は、複数種類の図柄が表示された複数の回転リールを有し、前記各回転リールの回転停止時の図柄の組合わせに基づく入賞態様に応じて遊技球が払い出されるパロット遊技機であることを特徴とする手段１乃至２２，３１乃至３３のいずれかに記載の遊技機。
手段３７によれば、パロット遊技機において、当該遊技者に音声を明瞭に聴取させることができると共に、周囲の遊技者からは聴取され難くすることができる。
【０１０４】
以上に説明した基本発明の遊技機では、スピーカ５９を遊技球を貯留する上皿５４の後壁部５４ｄとガラス扉枠４との間に形成された空間部５４ｈ内に配設することにより、その遊技機で遊技する遊技者には音声（演出音）を明瞭に聴取させる一方、周囲の遊技者からはその演出音を聴取され難くするものであるが、本発明は遊技機の前面枠３における装飾部材（電飾部材６２）の面積増大による装飾性の向上および新たな音響効果の発揮による遊技の興趣の一層の向上を図ったものである。
【０１０５】
以下、本発明の具体的な実施形態について図面を用いて説明するが、上記基本発明の実施形態で説明した構成と同様の構成については、同じ符号を付することで重複した説明は省略する。
【０１０６】
本発明の遊技機は従来の遊技機では一般的に前面枠の上部二隅に設けられ多くのスペースを占有していたスピーカを、発射装置に供給する遊技球を貯留する貯留皿（上皿）が形成される上皿形成台上に配設することで、前面枠における装飾部材の面積を増大させ、また、スピーカから出力した演出音を所定の箇所で反射させること等により新たな音響効果を遊技機に付与するものである。
【実施例１】
【０１０７】
図２０は本実施例の遊技機（パチンコ機）の外観斜視図である。この遊技機３０１の前面枠３の上部二隅には図１９に示した従来の遊技機のように演出音を出力するためのスピーカは設けられておらず、前面枠３には遊技領域面に対応した円形のガラス扉枠４を囲むように、各種ランプ、ＬＥＤ等の発光手段を内部に備えた電飾部材２６２が一連した状態で設けられている。
【０１０８】
遊技機３０１内部の発射装置に供給する遊技球を貯留するための貯留皿である上皿が形成される上皿形成台２５４には凹みにより貯留部２５４ａが形成されている。上皿形成台２５４の貯留部２５４ａの底面部は、左側（流入口側）が広く、そして前面枠の中央より若干左寄りの位置から急激に右側（供給口側）に向かって狭くなるように湾曲して形成されている。すなわち貯留部２５４ａが形成された上皿形成台２５４の上面部は、左側が狭く、前面枠の中央左寄りの位置から急激に右側に向かって広くなるようになっている。そして上皿形成台２５４の上面部のほぼ中央位置には指向性を高めて演出音を出力する出力手段であるスピーカ（指向性スピーカ２８０）が設けられている。
【０１０９】
ここで指向性を高めて演出音を出力するスピーカとしては、１）ホーンスピーカを用いたもの、２）トーンゾイレスピーカのようなフェーズドアレイスピーカを用いたもの、３）パラメトリックスピーカを用いたもの、４）反射カバーを用いたものがある。しかしながら、１）ホーンスピーカを用いたものは受聴点が遠方にある場合に適しており、室内等の近距離で受聴する場合には適さず、また低域まで鋭い指向性を実現するには口径、長さともに大きくなるという欠点があり、また２）トーンゾイレのように多数のスピーカユニットをライン状または平面状に配置し、それぞれのスピーカユニットに入力する信号のゲインと位相を制御する方法では制御系が複雑になり、また多数のスピーカユニットの配置のための占有面積も必然的に大きくなるといった欠点がある。３）パラメトリックスピーカは超音波に対する空気の非線形相互作用を用いたもので、強力な超音波を使用するため超音波を遮断するフィルタが必要とされるものの、他のものに比べて小型で鋭い指向性を実現できる長所がある。４）反射カバーを用いたものは、放物面や楕円面の一部からなる反射カバーの焦点にスピーカを設置し、反射カバーに当たった音を収束させて鋭い指向性を得るもので、室内のように受聴点が近距離の場合に適しており、また他に比較して簡単・低廉に構成できるメリットがあるが、反射カバーの設置のためのスペースが必要となるといった欠点がある。
【０１１０】
そのため本実施例の遊技機ではパラメトリックスピーカを用いるものとするが、遊技機に適用する上での配置条件等を満たすことができれば、他の形式で指向性を高めたスピーカを採用することももちろん可能である。
【０１１１】
図２１に指向性スピーカが設けられた図２０の遊技機のＸ−Ｘ断面図を、図２２および図２３に指向性スピーカから出力された演出音が遊技者に伝達するイメージを図示した。
上述のようにパラメトリックスピーカである指向性スピーカ２８０は、超音波の直進性により周囲への音の広がりを抑えつつその正面に向けて指向性を高めて演出音を出力するものであり、上皿形成台２５４の上面部のほぼ中央遊技者側位置に、隣接した２つの指向性スピーカ２８０が遊技者と反対側すなわち前面枠３側を向き、かつ、一方の指向性スピーカが左上側を他方の指向性スピーカが右上側を向くように上皿形成台２５４内に埋め込まれて配設されている。そして各指向性スピーカ２８０の正面には、次に説明する電飾部材２６２による反射手段Ｒが位置している。なお２つの指向性スピーカ２８０はその上部側が音を通過させるためにメッシュとなったドーム形状のカバー２８１によって一体的に覆われて保護されている。
【０１１２】
電飾部材２６２は半透明の硬質プラスティック樹脂により形成され、遊技領域面に対応したガラス扉５を囲むように前面枠３の左側、上側、右側部分に一連した状態で設けられおり、その内部には各種ランプ、ＬＥＤ等の発光手段が備えられている。電飾部材２６２は略円形のガラス扉枠４の周縁から前側に膨出し、その内周側がすり鉢状に傾斜した傾斜面となっており、この傾斜面が反射手段Ｒを構成している。なお電飾部材２６２の反射手段Ｒとなる部分（傾斜面）は１０ｃｍ程度の高さに形成されている。
この反射手段Ｒとなる部分の傾斜面の傾斜角度は図２２おおよび図２３に示したように、指向性スピーカ２８０から出力された演出音がこの傾斜面で反射し、左側の指向性スピーカ２８０の演出音が遊技者の左耳に、右側の指向性スピーカ２８０の演出音が遊技者の右耳にちょうど到達するような角度となっている。
なおパラメトリックスピーカである指向性スピーカ２８０から出力された演出音は、破線で示したようにその中心の音軸Ｓが光と同様に直進性を保ちつつ入射角と同じ反射角となるように、反射手段Ｒである電飾部材２６２の傾斜面で反射して遊技者に到達する。そのため反射手段Ｒ（傾斜面）で反射し演出音を遊技者が聞くと、あたかもその反射面にスピーカがありそこから演出音が出力されているように聞こえることとなる。なおこの電飾部材２６２のすり鉢状の傾斜面はその全周が反射手段Ｒとなりうるが、実質的にはガラス扉枠４周縁の上部二隅付近の部分が反射手段Ｒとして機能することになる。
なお指向性スピーカ２８０から出力された演出音を反射手段Ｒにより効率的に反射して遊技者に伝達するためには反射手段Ｒである電飾部材２６２の傾斜面はできるだけ硬い材質であることが好ましい。しかしながら実際には、電飾部材２６２が硬質プラスティックであっても演出音を必要十分に反射することができるため特に問題はない。
【０１１３】
以上に説明した本実施例の遊技機によれば、上皿形成台２５４上に指向性スピーカ２８０を配設することで前面枠３における装飾部材（電飾部材２６２）の面積を増大させ、また電飾部材２６２を一連形成することができるようになるため、例えば、電飾部材２６２に複数の発光手段を所定の間隔で一連して配置し、演出によりこれらを一斉に発光させたり次々と順番に発光させたりする場合にも、一連の環帯状に電飾部材２６２を一斉に発光させ、または途切れることなく流れるように一連する発光手段を順番に発光させることができ、電飾部材２６２による発光演出をよりスムーズで華やかなものとすることができる。
また指向性スピーカ２８０を用いたことで、周囲への音の広がりを抑えつつ反射手段Ｒ（傾斜面）で反射させた演出音を遊技者の頭部に集中させることができるため、結果としてホール内の騒音を大幅に低減することも可能となる。
【０１１４】
なお上記実施例では、上皿形成台２５４上に配設した指向性スピーカ２８０から出力された演出音は電飾部材２６２の傾斜面を反射手段Ｒとして反射して遊技者の頭部に到達するものとしたが、指向性スピーカ２８０の取付角度を変更し、ガラス扉５を反射手段Ｒとしてやることで、反射した演出音が遊技者の頭部に到達するように発明を構成してやることなどももちろん可能である（図２４参照）。
【０１１５】
また電飾部材を一連形成することやその面積を増大させることは困難となるが、変形例として、図１９に示した従来の遊技機と同様に遊技機の上部二隅にスピーカを配設し、さらに上皿形成台上に指向性スピーカを配設し、例えば通常の演出音は上部二隅のスピーカから出力し、リーチ時の効果音などは上皿形成台上の指向性スピーカから出力するようにしてやるように構成することなどももちろん可能である。
【実施例２】
【０１１６】
本実施例の遊技機は上記実施例１の遊技機に、出力手段から出力する演出音の出力方向を変更するための出力方向変更手段を備えたものである。この出力方向変更手段は、指向性スピーカ２８０の音軸を電飾部材２６２のすり鉢状の傾斜面に周方向に沿って進行させるものである。具体的には出力方向変更手段は、指向性スピーカ２８０が取り付けられ、指向性スピーカ２８０を回動させるための回動軸が形成された基台や、基台を回動させるための動力源となる回動モータなどから構成されている（図示せず）。
【０１１７】
図２５に示した本実施例の遊技機４０１では、例えば通常演出時には上記実施例１の遊技機と同様に指向性スピーカ２８０から出力された演出音が電飾部材２６２の主に上部二隅部分の傾斜面で反射して遊技者に到達するような角度に基台が固定される一方、リーチ状態などの特別演出時には指向性スピーカ２８０を取り付けた基台が回動軸を中心にして首振りするように回動することで、演出音の音軸Ｓが電飾部材２６２の上側半分の部分の傾斜面を周方向に沿って移動しながら反射して遊技者に到達するようになっている。
【０１１８】
すなわち遊技者には、例えば通常演出時には電飾部材２６２の上部二隅部分にあたかもスピーカがありそこから演出音が出力されているように聞こえ、特別演出時には電飾部材２６２の上側半分の部分をあたかもスピーカが移動しながら演出音を出力しているかのごとく聞こえるようにすることができるため、新たな音響的演出効果により遊技の興趣を一層高めることができる。
さらに電飾部材の発光パターンや図柄変動表示装置５７の液晶表示部（液晶装置）の画像表示の内容（アニメーションなど）を、移動するがごとく聞こえる演出音とリンクさせてやることで、音と映像による演出の相乗効果により遊技の興趣をより一層高めることができる。
【０１１９】
なお本実施例では指向性スピーカ２８０から出力した演出音を電飾部材２６２を反射手段Ｒとして反射させて遊技者に聴取させる構成としたが、ガラス扉５を反射手段としたり、演出音が反射することなく直接遊技者の耳に到達するように指向性スピーカ２８０を首振りするように動かしてやることも可能である。また上記実施例１の変形例のように、遊技機の上部二隅のスピーカと上皿形成台２５４上の指向性スピーカ２８０の両方を用い、指向性スピーカ２８０を動かしてやることももちろん可能である。
【実施例３】
【０１２０】
本実施例の遊技機５０１は上記実施例１の遊技機に、演出音の反射方向を変更可能とすべく反射手段Ｒの反射面の角度を変更する反射角度変更手段を備えたものである。この反射角度変更手段は、遊技者の身長により頭部の位置が異なることに鑑み、反射手段Ｒの反射面の角度を手動で変更可能とすることで、この反射面で反射した演出音が遊技者の頭部にちょうど到達するように調整するためのものである。この反射角度変更手段は、図２６に示したように、電飾部材の上部二隅部分の傾斜面の角度を変更するための機構であり、電飾部材（電飾部材本体３６２）の上部二隅に凹むように形成された嵌合部２８１と、この嵌合部２８１に嵌め込まれる可動反射部２９１とから構成されている。すなわち、電飾部材本体３６２の嵌合部２８１に可動反射部２９１が嵌め込まれることで、電飾部材本体３６２と可動反射部２９１とが一体となり滑らかに一連する弧状の電飾部材を構成する。
【０１２１】
嵌合部２８１は、電飾部材の上部二隅の反射手段Ｒとなる傾斜面を含む部分を１０ｃｍ程度の幅だけ切り取るように形成された略立方体形状の凹みであり、周囲の三方に立設する壁面２８１ａ，２８１ｂ，２８１ｃにより形成されている。
この嵌合部２８１を形成する周囲の３壁面２８１ａ，２８１ｂ，２８１ｃのうち、電飾部材の周方向に対向する２壁面２８１ａ，２８１ｃのガラス扉枠４寄りの部分には、次に説明する可動反射部２９１の軸部２９３を支えるための軸受け２８３が設けられている。また嵌合部２８１の他の壁面２８１ｂは、ガラス扉方向に内傾するように若干湾曲して形成されている。なお電飾部材本体３６２の嵌合部２８１底部側の位置には発光手段が設けられている。
【０１２２】
可動反射部２９１は、電飾部材本体３６２と同じ材料が用いられ、電飾部材本体３６２の嵌合部２８１に嵌め込まれることで一連する弧状の電飾部材をなす形状に形成された部材であり、そのガラス扉５側の一面が反射面（反射手段Ｒ）となっている。そしてこの可動反射部２９１の電飾部材２６２の周方向に対向する２壁面２９１ａ，２９１ｃのガラス扉枠４寄りの部分には、嵌合部２８１の軸受け２８３に対応した位置に突起する軸部２９３が形成されている。また可動反射部２９１の反射面に対向する壁面２９１ｂは、ガラス扉方向に内傾するように若干湾曲して形成されている。そのため嵌合部２８１に嵌め込まれた可動反射部２９１は、嵌合部２８１の軸受け２８３にその軸部２９３が支えられながら、湾曲した壁面の形状に沿って数センチメートル程度引き出し・押し込みすることができるようになっている。さらに可動反射部２９１の底面は開口して形成されているため、電飾部材本体３６２の発光手段からの光はこの開口を抜けて遊技者に視覚されることになる。
【０１２３】
このように嵌合部２８１と可動反射部２９１から構成された反射角度変更手段によれば、可動反射部２９１の壁面２９１ａ，２９１ｂ，２９１ｃが嵌合部２８１の壁面２８１ａ，２８１ｂ，２８１ｃと面接触ながら軸部２９３を中心にしてその取り付け角度を手動で変更することができるため、反射手段Ｒとなる可動反射部２９１の反射面の傾斜角度も１５°程度の範囲で変更することができ、遊技者の身長に応じて演出音の反射方向を微調整することが可能となる。ここで手動で取り付け角度を変更した可動反射部２９１は、その壁面２９１ａ，２９１ｂ，２９１ｃと嵌合部２８１の壁面２８１ａ，２８１ｂ，２８１ｃとの摩擦抵抗によりその変更後の取り付け角度の維持が可能となっている。
【０１２４】
なおこの実施例では遊技者が手動で可動反射部の取り付け角度を変更するものとしたが、遊技者の頭部の位置をカメラを用いた画像認識等により判別し、その情報を基に自動で可動反射部の取り付け角度を変更するように構成することで、遊技者の身長に応じて演出音の反射方向を微調整するようにしてやることももちろん可能である。
【０１２５】
このように本実施例の反射角度変更手段は遊技者の身長の違いによる頭部位置の違いに鑑み、反射した演出音が遊技者の頭部にちょうど到達するように調整するためのものであるが、それ以外にも、例えば反射角度変更手段を反射手段の反射面を遥動するようにその角度を自動で変更するよう構成することで、遊技者にはあたかも反射面に配設したスピーカが首振りしてその出力方向を激しく変更するかのごとく聴取させることができるため、新たな音響的演出効果を遊技機に付加することができる。
【０１２６】
（付記）
上述した本発明の実施形態からは、以下に示す基本発明の各手段を抽出することができる。以下、各手段につき、必要に応じて作用効果等を付記しつつ説明する。
手段１．
発射装置に供給する遊技球を貯留するための貯留皿が形成された貯留皿形成台上に設置され、指向性を高めて演出音を出力する出力手段と、
該出力手段が出力した演出音を反射させるための反射手段と、を有する、ことを特徴とする遊技機。
手段１によれば、上皿上に指向性スピーカを配設することで前面枠における装飾部材（電飾部材）の面積を増大させ、また電飾部材を一連形成することができるため、電飾部材による発光演出をよりスムーズで華やかなものとすることができる。また指向性スピーカを用いたことで、周囲への音の広がりを抑えつつ傾斜面Ｒで反射させた演出音を遊技者の頭部に集中させることができ、結果としてホール内の騒音低減をも図ることが可能となる。
【０１２７】
手段２．
前記出力手段から出力する演出音の出力方向を変更するための出力方向変更手段を備える、ことを特徴とする手段１に記載の遊技機。
手段２によれば、上皿上に配設したスピーカの出力方向を変更しながら反射させることで、あたかも遊技機の前面をスピーカが移動しながら演出音を出力しているように聞こえるようにすることができ、遊技の興趣をより一層高めることができる。
【０１２８】
手段３．
前記反射手段は遊技領域の周縁部に設けられた装飾部材を構成する、ことを特徴とする手段１又は２に記載の遊技機。
手段３によれば、反射手段を装飾部材により構成してやることで、装置を単純化しつつ装飾効果も高めることができる。
【０１２９】
手段４．
前記反射手段は演出音の反射方向を変更するためにその反射面の角度を変更する反射角度変更手段を備える、ことを特徴とする手段１、２又は３に記載の遊技機。
手段４によれば、遊技者の身長に対応して演出音の反射方向を調整することができ、または、反射面の遥動により新たな音響的演出効果を遊技機に付加することができる。
【０１３０】
手段５．
発射装置に供給する遊技球を貯留するための貯留皿が形成された貯留皿形成台上に設置され、指向性を高めて演出音を出力する出力手段と、
該出力手段から出力する演出音の出力方向を変更するための出力方向変更手段と、を有する、ことを特徴とする遊技機。
手段５によれば、出力手段から指向性を高めて出力する演出音を、その出力方向を変更しながら出力することで、新たな音響的演出効果を遊技機に付加することができる。
【産業上の利用可能性】
【０１３１】
本発明は基本発明のように遊技球を貯留する上皿を有する遊技機に限られず、遊技がより一層楽しくなるように、電子音による多種多様で華やかな音楽や効果音などの演出音を発生するスピーカを備えた遊技機であれば、パチンコ機以外にも、スロットマシン、パロットなどすべての遊技機に適用することができる。
【符号の説明】
【０１３２】
１  パチンコ遊技機（遊技機）
３  前面枠（本体枠、本体）
４  ガラス扉枠（開閉枠、本体）
５  ガラス扉
５４  上皿
５９  スピーカ（音声出力部）
５９ａ  スピーカ本体
５９ｂ  ケース
５９ｃ  ＬＥＤ（発光部）
５９ｄ  電球
８０  スピーカ
１０１  パロット遊技機（遊技機）
１２０  本体枠（本体）
１５４  上皿
１５９  スピーカ（音声出力部）
１５９ａ  スピーカ本体
１５９ｂ  ケース
１６０  フロントパネル（開閉枠、本体）
１６０ａ  開口部
２５４  上皿
２５４ａ  貯留部
２６２  電飾部材
２８０  指向性スピーカ
２８１  嵌合部
２８２ａ，２８２ｂ，２８２ｃ  壁面
２８３  軸受け
２９１  可動反射部
２９３  軸部
３０１，４０１，５０１  遊技機
３６２  電飾部材本体
【図１】
2015043855.tif 000003
【図２】
2015043855.tif 000004
【図３】
2015043855.tif 000005
【図４】
2015043855.tif 000006
【図５】
2015043855.tif 000007
【図６】
2015043855.tif 000008
【図７】
2015043855.tif 000009
【図８】
2015043855.tif 000010
【図９】
2015043855.tif 000011
【図１０】
2015043855.tif 000012
【図１１】
2015043855.tif 000013
【図１２】
2015043855.tif 000014
【図１３】
2015043855.tif 000015
【図１４】
2015043855.tif 000016
【図１５】
2015043855.tif 000017
【図１６】
2015043855.tif 000018
【図１７】
2015043855.tif 000019
【図１８】
2015043855.tif 000020
【図１９】
2015043855.tif 000021
【図２０】
2015043855.tif 000022
【図２１】
2015043855.tif 000023
【図２２】
2015043855.tif 000024
【図２３】
2015043855.tif 000025
【図２４】
2015043855.tif 000026
【図２５】
2015043855.tif 000027
【図２６】
2015043855.tif 000028